(57)【要約】【課題】魚の食いつきが弱い場合であっても、魚への釣針のかかりを確実なものとし得るルアー及びそれに用いられるルアー本体を提供することにある。【解決手段】ルアー本体１に凹部５を設け、凹部５の内部に、環状部４ａを有する連結部材４を設置する。環状部４ａは、その一部が凹部５の開口から飛び出るように形成する。釣針３の挟持部１１ａ及び１１ｂによって、環状部４ａにおける凹部５の開口から飛び出た部分を挟持させて、釣針３と連結部材４とを連結する。このとき、釣針３の折り曲げ部１０が環状部４ａの内側に位置するようにする。【選択図】  図１
2004305052.tif 000002
【特許請求の範囲】
【請求項１】
釣針と、前記釣針が連結される連結部材を備えたルアー本体とを有する釣用のルアーであって、
前記釣針は、鉤状の針部と前記連結部材を挟持する挟持部とを少なくとも有し、
前記連結部材は、前記釣針の前記挟持部によって挟持され、且つ、外力による前記釣針の前記挟持部を中心とした可動が制限されるように構成されていることを特徴とするルアー。
【請求項２】
前記ルアー本体に、前記釣針における前記針部以外の少なくとも一部を収容する凹部が設けられている請求項１記載のルアー。
【請求項３】
前記連結部材が、前記ルアー本体に固定され、前記凹部の内部から開口に向けて突出する環状部を有し、前記環状部は、その一部が前記開口から飛び出るように形成されており、
前記釣針の挟持部が、線材を折り曲げて形成され、前記線材の折り曲げられた部分を前記環状部の内側に位置させた状態で、前記線材の曲げ応力に基づく弾性力によって前記環状部における前記凹部の開口から飛び出た一部を挟持している請求項２記載のルアー。
【請求項４】
前記環状部の前記凹部の深さ方向における長さと、前記環状部の前記深さ方向に垂直な方向における長さとの比が、１：１〜１０：１に設定され、
前記環状部の前記凹部の深さ方向における長さと、前記釣針の前記折り曲げられた部分の前記凹部の深さ方向における長さとの比が、１：１〜１０：１に設定されている請求項３記載のルアー。
【請求項５】
鉤状の針部と挟持部とを少なくとも有する釣針を連結して釣用のルアーを構成するルアー本体であって、
前記釣針に連結される連結部材を有し、前記連結部材は、前記釣針の前記挟持部によって挟持され、且つ、外力による前記釣針の前記挟持部を中心とした可動が制限されるように構成されていることを特徴とするルアー本体。
【請求項６】
前記釣針における前記針部以外の少なくとも一部を収容する凹部が設けられている請求項５記載のルアー本体。
【請求項７】
前記連結部材が、前記凹部の内部から開口に向けて突出する環状部を有し、前記環状部は、その一部が前記開口から飛び出るように形成され、前記環状部の前記開口から飛び出た一部が、前記釣針の挟持部に挟持される請求項６記載のルアー。
【発明の詳細な説明】
【０００１】
【発明の属する技術分野】
本発明は、ルアーフィッシングに用いられるルアーに関し、特には、ルアーにおけるフック（釣針）の取り付け構造に関する。
【０００２】
【従来の技術】
近年、木製やプラスチック製のルアー（疑似餌）を用いたルアーフィッシングが盛んに行われている。ルアーフィッシングでは、対象魚の種類等に応じて種々のルアーが使用されており、例えば、ブラックバス等の小魚を餌とする肉食魚が対象魚の場合は、小魚に似せたルアーが使用されることがある。
【０００３】
図９は、従来から使用されているルアーの一例を示す側面図であり、一部分のみを断面で示している。図９に示すように、ルアーは、ルアー本体３１に、釣針３２及び３３を連結して構成される。ルアー本体３１は中空構造を有しており、左側ボディ３１ａと右側ボディ３１ｂとを接合することによって構成される。
【０００４】
ルアー本体３１の内部には錘（図示せず）が取り付けられている。錘には、ルアーの水中における姿勢を適正なものとするバランサーとしての役目や、キャストの飛距離を伸ばすという役目がある。また、錘がルアー本体３１の内部で移動することによってラトル音が発生するように構成されたルアーもある。
【０００５】
また、ルアー本体３１には、釣糸３９を結びつけるラインアイ３４が埋め込まれたリップ４０が設けられている。このため、リトリーブを行うと、リップ４０が受ける水の抵抗によってルアーは潜行を始める。更に、ルアー本体３１には、二つのフックハンガ３５及び３６が取り付けられている。フックハンガ３５及び３６は、金属製の線材をひょうたん状に曲げて形成されており、右側ボディ３１ａと左側ボディ３１ｂとの間に挟み込まれている。
【０００６】
また、ルアー本体３１に取り付けられたフックハンガ３５にはスプリットリング３７を介して釣針３２が連結され、フックハンガ３６にはスプリットリング３８を介して釣針３３が連結される（例えば、特許文献１及び特許文献２参照。）。釣針３２及び３３は、一般にトリプルフックとよばれるものである。なお、釣針３２及び３３は、スプリットリングを介さないで、フックハンガ３５及び３６に取り付けられる場合もある。
【０００７】
図９に示すルアー本体３１に釣針３２及び３３が取り付けられた状態でキャストが行われる。図９に示すルアーは、水中で魚を誘引し、誘引された魚はルアーを餌と間違えて食いつき、その結果、釣針３２又は３３にかかり、釣り上げられることになる。
【０００８】
【特許文献１】
特開２００２−３６０１２８号公報（第２図）
【０００９】
【特許文献２】
特開２００２−３３０６６８号公報（第１図）
【００１０】
【発明が解決しようとする課題】
しかしながら、図９に示すルアーにおいて、釣針３２及び３３は、スプリットリング３７及び３８（又はフックハンガ３５及び３６）に引っ掛けられているに過ぎず、図９中の矢印で示すように、ルアーの上下方向や左右方向、ねじれ方向に簡単に可動してしまう。このため、釣針３２及び３３の位置を保持できず、誘引された魚がルアーに食いついても、魚が釣針３２又は３３にかからなかったり、また魚が釣針３２又は３３にかかったとしてもかかりが甘くて簡単に外れてしまったりして、魚に逃げられてしまうという問題がある。
【００１１】
また、この問題は、冬場など魚の活動が鈍っている場合のように魚の食いつきが弱い場合に生じ易く、特にルアーの後側（ラインアイ３４の反対側）の釣針３３において顕著である。
【００１２】
本発明の目的は、魚の食いつきが弱い場合であっても、魚への釣針のかかりを確実なものとし得るルアー及びそれに用いられるルアー本体を提供することにある。
【００１３】
【課題を解決するための手段】
上記目的を達成するために本発明にかかるルアーは、釣針と、前記釣針が連結される連結部材を備えたルアー本体とを有する釣用のルアーであって、前記釣針は、鉤状の針部と前記連結部材を挟持する挟持部とを少なくとも有し、前記連結部材は、前記釣針の前記挟持部によって挟持され、且つ、外力による前記釣針の前記挟持部を中心とした可動が制限されるように構成されていることを特徴とする。
【００１４】
また、上記本発明にかかるルアーにおいては、前記ルアー本体に、前記釣針における前記針部以外の少なくとも一部を収容する凹部が設けられている態様であるのが好ましい。
【００１５】
上記態様においては、前記連結部材が、前記ルアー本体に固定され、前記凹部の内部から開口に向けて突出する環状部を有し、前記環状部は、その一部が前記開口から飛び出るように形成されており、前記釣針の挟持部が、線材を折り曲げて形成され、前記線材の折り曲げられた部分を前記環状部の内側に位置させた状態で、前記線材の曲げ応力に基づく弾性力によって前記環状部における前記凹部の開口から飛び出た一部を挟持しているのが好ましい。
【００１６】
また、上記態様においては、前記環状部は、その前記凹部の深さ方向における長さが、その前記深さ方向に垂直な方向における長さよりも長くなるように形成されているのが好ましい。この場合、前記連結部材の環状部は、楕円形状又は長方形状に線材を折り曲げて形成されているのが特に好ましい。
【００１７】
更に、上記態様においては、前記環状部の前記凹部の深さ方向における長さと、前記環状部の前記深さ方向に垂直な方向における長さとの比が、１：１〜１０：１に設定され、前記環状部の前記凹部の深さ方向における長さと、前記釣針の前記折り曲げられた部分の前記凹部の深さ方向における長さとの比が、１：１〜１０：１に設定されているのが好ましい。また、前記ルアー本体が、魚を模倣した形状を有しており、前記凹部が前記魚の尻尾に相当する位置に設けられているのが好ましい。
【００１８】
次に、上記目的を達成するために本発明にかかるルアー本体は、鉤状の針部と挟持部とを少なくとも有する釣針を連結して釣用のルアーを構成するルアー本体であって、前記釣針に連結される連結部材を有し、前記連結部材は、前記釣針の前記挟持部によって挟持され、且つ、外力による前記釣針の前記挟持部を中心とした可動が制限されるように構成されていることを特徴とする。
【００１９】
上記本発明にかかるルアー本体においては、前記釣針における前記針部以外の少なくとも一部を収容する凹部が設けられているのが好ましい態様である。
【００２０】
上記態様においては、前記連結部材が、前記凹部の内部から開口に向けて突出する環状部を有し、前記環状部は、その一部が前記開口から飛び出るように形成され、前記環状部の前記開口から飛び出た一部が、前記釣針の挟持部に挟持されるのが好ましい。また、この場合、前記環状部は、その前記凹部の深さ方向における長さが、その前記深さ方向に垂直な方向における長さよりも長くなるように形成されているのが好ましい。
【００２１】
【発明の実施の形態】
以下、実施の形態にかかるルアー及びルアー本体について、図１〜図３を参照しながら説明する。図１は、実施の形態にかかるルアー及びルアー本体を示す側面図であり、ルアー本体の一部分については断面で示している。図２は、図１に示す断面部分を図１に示す断面と垂直な方向で切断した断面図であり、ルアーをその上下方向に垂直に切断して得られる断面を部分的に拡大して示している。図３は、図１に示す断面部分を拡大して示す断面図であり、ルアーをその左右方向に垂直に切断して得られる断面を部分的に拡大して示している。図３においては、釣針３は点線で示している。
【００２２】
図１に示すように、ルアーは、釣針２及び３と、ルアー本体１とを少なくとも有した釣用のルアーである。ルアー本体１は、従来と同様に、左側ボディ１ａと右側ボディ１ｂとを接合して構成され、魚を模倣した形状を有している。ルアー本体１の内部には、錘（図示せず）が取り付けられている。
【００２３】
また、従来と同様に、ルアー本体１には、釣糸９を結びつけるラインアイ６が埋め込まれたリップ１４が設けられている。更に、ルアー本体１には、スプリットリング８を介して釣針２を連結するフックハンガ７が取り付けられている。釣針２は、三つの針部１２ｃ〜１２ｄとアイ１３とを備えており、従来からルアーフィッシングで用いられているトリプルフックである。
【００２４】
但し、図１に示すルアーは、従来技術において図９を用いて説明したルアーと異なり、図１〜図３に示すように、ルアー本体１に連結部材４を有している。また、図２に示すように、連結部材４に連結される釣針３は、両端に針部１２ａ及び１２ｂがそれぞれ形成された一本の線材を折り曲げて構成されている。
【００２５】
更に、釣針３と連結部材４との連結は、挟持部１１ａと挟持部１１ｂとによって、連結部材４を挟持することによって行なわれている。挟持部１１ａは、釣針３を構成する線材の折り曲げられた部分（折り曲げ部）１０と針部１２ａとの間の部分であり、挟持部１１ｂは、折り曲げ部１０と針部１２ｂとの間の部分である。挟持部１１ａ及び１１ｂによる連結部材４の挟持は、折り曲げ部１０と挟持部１１ａ及び１１ｂとに生じた曲げ応力に基づく線材の弾性力によって行われており、図２中に示す矢印は挟持方向を示している。
【００２６】
このように、図１〜図３に示すルアーによれば、釣針３は挟持部１１ａ及び１１ｂによって連結部材４を挟持しているため、従来技術において図９で示したルアーと異なり、釣針３が、ルアーの左右方向や上下方向、更にはねじれ方向に簡単に可動しないようになっている。
【００２７】
このため、釣針３の位置を魚がかかり易い位置に保持することができるので、例え魚の食いつく力が弱い場合であっても、釣針３の針部１２ａ及び１２ｂは確実に魚に突き刺さることとなる。また、釣針３は、連結部材４に固着されていないので、挟持部１１ａ及び１１ｂを中心として可動できる。このため、釣針３は、魚に突き刺さった後は、魚の動きに追従して可動し、魚が暴れて釣針３から外れてしまうのが抑制される。
【００２８】
一方、連結部材４は、釣針３の挟持部１１ａ及び１１ｂを中心とした可動を制限するように構成されている。但し、連結部材４による釣針３の可動の制限は、釣針３に突き刺さった魚が釣針３から外れないようにするための釣針３の可動までも制限するものではない。連結部材４による釣針３の可動の制限は、水流から受ける外力やキャスト時に水面からうける外力によって、釣針３の位置が、魚がかかり易い位置から外れてしまうのを抑制する程度である。
【００２９】
図１〜図３に示すルアーでは、ルアー本体１の後部に、釣針３の針部１２以外の少なくとも一部を収容する凹部５が設けられており、連結部材４は、この凹部５の内部に配置されている。また、連結部材４は、凹部５の内部から開口に向けて突出する環状部４ａと、連結部材４をルアー本体１に固定する基部４ｂとで構成されている。更に、環状部４ａと基部４ｂとは一本の線材を折り曲げて一体的に形成されている。また、基部４ｂは、従来技術において図９で示したフックハンガ３６と同様に構成され、ルアー本体１に取り付けられている。
【００３０】
また、釣針３は、線材の折り曲げ部１０を環状部４ａの内側に位置させた状態で、挟持部１１ａ及び１１ｂによって、環状部４ａにおける凹部５の開口から飛び出た部分を挟持している。このため、上述したように、釣針３の挟持部１１ａ及び１１ｂを中心とした可動は、連結部材４の環状部４ａによって制限されることになる。
【００３１】
つまり、水流から受ける外力やキャスト時に水面からうける外力によって、釣針３が挟持部１１ａ及び１１ｂを中心としてルアーの上方向又は下方向に回転しようとすると、折り曲げ部１０は、環状部４ａの内側に接触することになる。よって、ルアーの上下方向における釣針３の可動範囲は、環状部４ａにより、図３に示すθで規定される範囲に制限されることとなる。このθで規定された範囲内に釣針３が位置する場合は、魚がかかり易い位置に釣針３が位置していると言える。
【００３２】
また、図３に示すθで規定された範囲は、釣針３の挟持部１１ａ及び１１ｂが連結部材４から外れることなく、連結部材４を挟持した状態で、釣針３がルアーの上下方向において可動できる最大の範囲である。具体的には、図３に示すθは、０度〜１８０度、好ましくは０度〜４５度に設定する。
【００３３】
なお、図１及び図３に示すように、ルアーをその側面から見たときに、釣針３の針部１２ａ及び１２ｂを除く部分が凹部５の深さ方向と平行な状態にあって、釣針３がこの状態からルアーの上下方向に可動しない場合に、θが０度となる。また、ルアーをその側面から見たときに、釣針３の針部１２ａ及び１２ｂがルアーの上側に位置し、且つ、針部１２ａ及び１２ｂを除く部分が凹部５の深さ方向に垂直な状態から、針部１２ａ及び１２ｂがルアーの下側に位置し、且つ、針部１２ａ及び１２ｂを除く部分が凹部５の深さ方向に垂直な状態まで、釣針３が可動できる場合に、θが１８０度となる。
【００３４】
また、図３に示すθは、対象魚の種類や大きさに応じて設定できる。θの設定は、釣針３の折り曲げ部１０における凹部５の深さ方向における長さｈ、釣針３を構成する線材の直径ｄｆ、環状部４ａにおける凹部５の深さ方向の長さ（以下「奥行き」）Ｈ、環状部４ａにおける深さ方向に垂直な方向の長さ（以下「幅」）Ｖ、及び連結部材４を構成する線材の直径ｄの比を適宜設定することによって行うことができる。
【００３５】
例えば、本実施の形態では、環状部４ａの奥行きＨと幅Ｖとの比は、１：１〜１０：１、特には２．５：１に設定するのが好ましい。環状部４ａの奥行きＨと、釣針３の折り曲げ部１０の凹部５の深さ方向における長さｈとの比は、１：１〜１０：１、特には２：１〜３：１に設定するのが好ましい。また、連結部材４を構成する線材の直径ｄは、環状部４ａの幅Ｖの（１／５）倍〜（１／４）倍に設定するのが好ましい。更に、釣針３を構成する線材の直径ｄｆは、（Ｖ−２ｄ）の（１／２）倍〜（２／３）倍に設定するのが好ましい。
【００３６】
また、環状部４ａの形状は、特に限定されるものではないが、奥行きＨが、幅Ｖよりも長くなる形状とするのが好ましい。具体的な環状部４ａの形状としては、図１及び図３に示す楕円形状や、長方形状が挙げられる。なお、本明細書でいう「楕円形状」には、楕円の方程式によって表すことができる楕円形状だけでなく、図１及び図３で示す、長方形の短辺に、直径が短辺と同じ半円を結合して構成された形状も含まれる。また、環状部４ａの形状が楕円の方程式によって表すことができる楕円形状である場合、楕円の長径が奥行きＨ、短径が幅Ｖとなる。
【００３７】
更に、環状部４ａは、釣針３の取替えが可能なように、その一部が、凹部５の開口から飛び出るように形成されているのが好ましい。環状部４ａの開口から飛び出た部分の長さ（以下「飛び出し長さ」）Ｌは、釣針３を構成する線材の直径ｄｆの１．５倍〜２倍に設定されているのが好ましい。
【００３８】
また、図４に示すように、連結部材４の環状部４ａには、挟持部１１ａ及び１１ｂが環状部４ａを挟持する位置を固定するための凹部４ｃ及び４ｄを設けることができる。図４は、図１〜図３で示す連結部材の他の例を示す斜視図であり、図４（ａ）と図４（ｂ）とはそれぞれ異なる方向から連結部材を表している。
【００３９】
図４に示すように、凹部４ｃ及び４ｄは、釣針３を構成する線材の外周上において対向するように形成されている。また、凹部４ｃ及び４ｄは、環状部４ａにおける最もルアー本体１から離れた位置において、釣針を構成する線材の直径ｄｆ（図２及び図３参照）に合わせて形成されている。
【００４０】
このため、凹部４ｃ及び４ｄが設けられた位置を挟持部１１ａ及び１１ｂの挟持位置とすれば、挟持部１１ａ及び１１ｂは凹部４ｃ及び４ｄに嵌め込まれ、挟持位置は固定されることとなる。また、この場合、図３に示すθは０度となる。更に、凹部４ｃ及び４ｄが形成されていない連結部材４を用いた場合よりも、魚がかかり易い位置に釣針３を保持することが容易となる。
【００４１】
また、図１〜図３に示すルアーにおいては、上述したように、環状部４ａの内側に釣針３の折り曲げ部１０が位置するようにして、挟持部１１ａ及び１１ｂによる挟持を行っている。よって、釣針３の針部１２が魚に完全に突き刺さった後は、釣糸９を巻き取る力と魚がルアーを引っ張る力とによって挟持部１１ａ及び１１ｂが連結部材４から外れ、釣針３は折り曲げ部１０によって環状部４ａに引っかかった状態となる。この場合、釣針３の可動範囲は広がるため、暴れた魚が釣針３から外れてしまうのがよりいっそう抑制される。
【００４２】
更に、図１〜図３に示すルアーにおいては、上述したように、ルアー本体１に凹部５を設け、凹部５の内部に釣針３及び連結部材４の一部を収容することによっても、魚がかかる前における釣針３の可動を制限して、釣針３の位置を魚がかかり易い位置に保持している。
【００４３】
例えば、ルアーの左右方向から水流や水面による外力を受けた場合、釣針は挟持部１１ａ及び１１ｂを中心にルアーの左右方向に回転しようとするが、このとき、釣針３の折り曲げ部１０は凹部５の内壁に接触する。このため、釣針３の回転は制限され、釣針３の位置は魚がかかり易い位置に保持されることになる。
【００４４】
更に、ルアーの上下方向から水流や水面による外力を受けた場合は、上述したように、釣針３の可動は連結部材４の環状部４ａによって制限されているが、水流や水面から受ける外力が大きく、環状部４ａによる制限を越えた場合は、釣針３は凹部５の内壁に接触して可動が制限される。
【００４５】
なお、釣針３の可動が環状部４ａによる制限を越える場合は、通常、挟持部１１ａ及び１１ｂによる連結部材４の挟持は不十分な状態となってしまうが、凹部５の内壁との接触によって挟持部１１ａ及び１１ｂによる挟持が完全に外れてしまうのは抑制できる。よって、このような場合であっても、従来技術において図９を用いて示したルアーよりも、釣針３の位置を魚がかかり易い位置に保持できると言える。
【００４６】
また、凹部５の内部に釣針３及び連結部材４の一部を収容した場合は、釣針３及び連結部材４の全部をルアー本体１から露出した場合に比べて、釣針３の挟持部１１ａ及び１１ｂや、連結部材４の挟持部１１ａ及び１１ｂに挟持された部分に加わる水からの外力を緩和できるため、釣針３が連結部材４から外れるのを抑制できる。
【００４７】
凹部５の形状や大きさは、連結部材４や釣針３の形状や大きさに合わせて設定すれば良く、特に限定されるものではない。例えば、図２に示すように、ルアーをその上下方向に垂直に切断して得られる凹部５の断面の形状は、矩形とするのが好ましい。これは、釣針３の折り曲げ部１０と凹部５の内壁との接触によるルアー本体１の破損を抑制するためである。また、この点を考慮すると、凹部５のルアーの左右方向に平行な長さＤ１は、釣針３の折り曲げ部１０のルアーの左右方向に平行な長さ（折り曲げ部１０の幅）ｋの１．２倍〜２．０倍程度とするのが好ましい（図２参照）。
【００４８】
一方、ルアーをその左右方向に垂直に切断して得られる凹部５の断面の形状は、上記のルアーをその上下方向に垂直に切断して得られる断面形状と同様に矩形であっても良いが（図２参照）、ルアー本体の強度を確保する点から、図３に示すように、連結部材４の形状に沿った形状とするのが好ましい。凹部の深さＭやルアーの上下方向における長さＤ２（図３参照）は、環状部４ａの奥行きＨや幅Ｖ、飛び出し長さＬに合わせて適宜設定すれば良い。
【００４９】
連結部材４及び凹部５は、図１〜図４に示す態様に限定されるものではない。例えば、連結部材４は、ルアー本体１の本体部分と別個の部品である場合に限定されず、ルアー本体１の本体部分と一体的に成形したものであっても良い。また、連結部材４は、線材を折り曲げて形成されものに限定されず、プレス等によって打ち抜いて形成したものであっても良い。
【００５０】
図５は、連結部材及び凹部の他の例を示す断面図である。図５に示す例では、連結部材１５は、Ｕ字形に形成されており、ルアー本体１６の外側に取り付けられている。釣針３は、図１〜図３に示した例と同様のものであり、連結部材１５を挟持している。また、凹部１７は釣針３の一部のみが収容できるように形成されている。なお、ルアー本体１６は、図１〜図３に示したルアー本体１と同様に右側ボディと左側ボディとの２分割で構成されたものであり、図５では右側ボディのみが図示されている。
【００５１】
図６は、ルアー本体の他の例を示す断面図である。図６に示す例では、連結部材４、凹部５及び釣針３は、図１〜図３に示した例と同様のものである。但し、ルアー本体１８の構成が、図１〜図３に示したルアー本体１の構成と異なっている。ルアー本体１８は、右側ボディ１８ａと左側ボディ（図示せず）とに加え、キャップ１８ｂを備えている。キャップ１８ｂは接合された右側ボディ１８ａと左側ボディとの後端に接合可能に形成されている。また、キャップ１８ｂには、凹部５の開口と整合する貫通孔１８ｃが設けられている。このため、図６に示す例では、連結部材４はルアー本体１の内部に完全に収容されることとなる。
【００５２】
また、図１〜図３に示すルアーにおいては、前側（ラインアイ６側）の釣針２は、従来と同様の構造でルアー本体１に連結されているが、これに限定されるものでない。図７は、他の実施の形態にかかるルアー及びルアー本体を示す側面図である。
【００５３】
図７に示す例では、ルアー本体１の後側だけでなく、前側にも凹部（図７においては図示せず）が設けられ、その内部に連結部材４が配置されている。また、前側の連結部材４にも釣針３が連結されており、釣針３は連結部材４を挟持している。このような態様とした場合は、ルアーの下側から食いく魚に対しても、釣針３を魚がかかり易い位置に保持できることとなる。
【００５４】
また、釣針３は、図１〜図３に示した例に限定されるものではなく、挟持部と針部とを有したものであれば良い。図８は、実施の形態にかかるルアー及びルアー本体で用いることができる釣針の他の例を示す斜視図であり、図８（ａ）〜（ｃ）には態様の異なる釣針が示されている。
【００５５】
図８（ａ）の例に示す釣針は、先端に針部２１が設けられた３本の線材を一つに束ねたものに、クリップ状の挟持部２２を設けて構成されている。また、図８（ｂ）の例に示す釣針は、一本の線材の一方側に針部２３を設け、他方側に折り曲げによってクリップ状の挟持部２４を設けて構成されている。
【００５６】
また、図８（ｃ）に示す釣針は、図１〜図３に示した釣針に、針部２９が先端に形成された線材２８を取り付けて構成されている。具体的には、図８（ｃ）に示す釣針は、両端に針部２５が形成された線材を折り曲げて、折り曲げ部２７と挟持部２６ａ及び２６ｂとを形成し、更に挟持部２６ｂに線材２８をロウ付けして作製されている。
【００５７】
また、図１〜図３に示すルアーにおいては、ルアー本体１にはリップが取り付けられているが、これに限定されるものではなく、リップが存在しない態様であっても良い。更に、図１〜図３に示すルアー本体１は、魚の頭及び腹に相当する部分と、魚の尻尾に相当する部分とが、別体となり、これらが金具でジョイントされた態様であっても良い。なお、実施の形態に示した例では、ルアー本体１が、魚を模倣した形状を有している態様について説明したが、ルアー本体１の形状は特に限定されるものではない。
【００５８】
【発明の効果】
以上のように、本発明にかかるルアー及びルアー本体によれば、釣針の位置を魚がかかり易い位置に保持できるため、特に冬場等の魚の食いつく力が弱い場合であっても、釣針の魚へのかかりを確実なものとできる。
【図面の簡単な説明】
【図１】実施の形態にかかるルアー及びルアー本体を示す側面図であり、ルアー本体の一部分については断面で示している。
【図２】図１に示す断面部分を図１に示す断面と垂直な方向で切断した断面図である。
【図３】図１に示す断面部分を拡大して示す断面図である。
【図４】図１〜図３で示す連結部材の他の例を示す斜視図であり、図４（ａ）と図４（ｂ）とはそれぞれ異なる方向から連結部材を表している。
【図５】連結部材及び凹部の他の例を示す断面図である。
【図６】ルアー本体の他の例を示す断面図である。
【図７】他の実施の形態にかかるルアー及びルアー本体を示す側面図である。
【図８】実施の形態にかかるルアー及びルアー本体で用いることができる釣針の他の例を示す斜視図であり、図８（ａ）〜（ｃ）には態様の異なる釣針が示されている。
【図９】図９は、従来から使用されているルアーの一例を示す側面図であり、一部分のみを断面で示している。
【符号の説明】
１  ルアー本体
２、３  釣針
４  連結部材
４ａ  環状部
４ｂ  基部
５  凹部
６  ラインアイ
７  フックハンガ
８  スプリットリング
９  釣糸
１０  折り曲げ部
１１ａ、１１ｂ  挟持部
１２ａ、１２ｂ  針部
【図１】
2004305052.tif 000003
【図２】
2004305052.tif 000004
【図３】
2004305052.tif 000005
【図４】
2004305052.tif 000006
【図５】
2004305052.tif 000007
【図６】
2004305052.tif 000008
【図７】
2004305052.tif 000009
【図８】
2004305052.tif 000010
【図９】
2004305052.tif 000011